(57)【要約】【課題】移動端末がホームネットワーク内の情報家電機器と通信中にアクセスネットワークを変更したときに、通信の円滑な継続を図る。【解決手段】移動端末（ＭＮＮ）は、アクセスネットワークを介して、ホームネットワーク（ＨＮＷ）に接続される情報家電機器（ＤＭＳ、ＤＭＰ）と通信する際、自己が接続するアクセスネットワークを判別し、自己が接続するアクセスネットワークが変更された場合に、変更後のアクセスネットワークに対応する所定の接続方法で、前記情報家電機器との間のセッションを確立する。【選択図】図１
2010187210.tif 000002
【特許請求の範囲】
【請求項１】
各々異なるアクセスネットワークに接続可能な複数のネットワーク接続手段と、
アクセスネットワークを介して、ホームネットワークに接続される情報家電機器と通信する通信手段と、
自移動端末が接続するアクセスネットワークを判別するアクセスネットワーク判別手段と、を備え、
前記通信手段は、自移動端末が接続するアクセスネットワークが変更された場合に、変更後のアクセスネットワークに対応する所定の接続方法で、前記情報家電機器との間のセッションを確立する、
ことを特徴とする移動端末。
【請求項２】
前記通信手段は、
変更後のアクセスネットワークがモバイルネットワークである場合に、ホームネットワークとの間でＩＰトンネルを確立するモバイルネットワーク内のモバイルルータ経由で前記情報家電機器へ、セッションの確立を要求するメッセージを送信し、
変更後のアクセスネットワークがホームネットワークである場合に、前記情報家電機器へ直接、セッションの確立を要求するメッセージを送信し、
変更後のアクセスネットワークが公衆網である場合に、公衆網内のＳＩＰサーバ経由で、前記情報家電機器との間のセッションを確立する、
ことを特徴とする請求項１に記載の移動端末。
【請求項３】
複数のアクセスネットワークに接続可能な移動端末におけるセッション制御方法であって、
前記移動端末が、アクセスネットワークを介して、ホームネットワークに接続される情報家電機器と通信するステップと、
前記移動端末が、自己が接続するアクセスネットワークを判別するステップと、
前記移動端末が、自己が接続するアクセスネットワークが変更された場合に、変更後のアクセスネットワークに対応する所定の接続方法で、前記情報家電機器との間のセッションを確立するステップと、
を含むことを特徴とするセッション制御方法。
【請求項４】
前記移動端末は、
変更後のアクセスネットワークがモバイルネットワークである場合に、ホームネットワークとの間でＩＰトンネルを確立するモバイルネットワーク内のモバイルルータ経由で前記情報家電機器へ、セッションの確立を要求するメッセージを送信し、
変更後のアクセスネットワークがホームネットワークである場合に、前記情報家電機器へ直接、セッションの確立を要求するメッセージを送信し、
変更後のアクセスネットワークが公衆網である場合に、公衆網内のＳＩＰサーバ経由で、前記情報家電機器との間のセッションを確立する、
ことを特徴とする請求項３に記載のセッション制御方法。
【発明の詳細な説明】
【技術分野】
【０００１】
本発明は、移動端末およびセッション制御方法に関する。
【背景技術】
【０００２】
従来、移動端末から広域ネットワークを介してホームネットワークに接続し、ホームネットワークに接続された情報家電機器を遠隔制御したり、情報家電機器の動作状態を監視したりする技術として、例えば特許文献１，２が知られている。この従来技術によれば、移動端末自体が遠隔制御等のためのドライバプログラムをインストールしている。移動端末は、広域ネットワークを介して情報家電管理サーバにアクセスし、その情報家電管理サーバを介してホームネットワーク内の情報家電機器と通信する。情報家電管理サーバは、移動端末のドライバプログラムから受信した制御コマンド基づいて、ホームネットワーク内の情報家電機器を制御する。
【０００３】
また、ホームネットワークで用いられるプロトコルを規定する標準化団体として、ＤＬＮＡ（Digital Living Network Alliance）が知られている。ＤＬＮＡ準拠のプロトコルは、マルチベンダ環境におけるホームネットワークを実現し、異なる情報家電機器の間での相互接続性を実現する。これによって、ホームネットワークに接続された情報家電機器に蓄積されるデジタルコンテンツを、他の情報家電機器と共有することができるようになる。
【０００４】
ＤＬＮＡのプロトコルスタックによれば、ホームネットワークにおける物理層にはイーサネット（登録商標）又は無線ＬＡＮ（IEEE802.11）が適用され、ネットワーク層にはＴＣＰ／ＩＰ（Transmission Control Protocol／Internet Protocol）が適用される。またトランスポート層において、コンテンツ伝送機能にはＨＴＴＰ（HyperText Transfer Protocol）が適用され、コンテンツ選択機能にはＳＯＡＰ（Simple Object Access Protocol：簡易オブジェクトアクセスプロトコル）が適用され、アドレス設定・機器発見機能にはＳＳＤＰ（Simple Service Discovery Protocol：簡易サービス検出プロトコル）が適用される。
【先行技術文献】
【特許文献】
【０００５】
【特許文献１】特開２００４−９６２３４号公報
【特許文献２】特開２００６−２２７８２５号公報
【発明の概要】
【発明が解決しようとする課題】
【０００６】
しかし、上述した従来技術では、移動端末がホームネットワーク内の情報家電機器と通信中にアクセスネットワークを変更すると、移動端末と情報家電機器の間のセッションが切断されるので、通信の円滑な継続に支障をきたす恐れがある。
【０００７】
本発明は、このような事情を考慮してなされたもので、その目的は、移動端末がホームネットワーク内の情報家電機器と通信中にアクセスネットワークを変更したときに、通信の円滑な継続を図ることのできる移動端末およびセッション制御方法を提供することにある。
【課題を解決するための手段】
【０００８】
上記の課題を解決するために、本発明に係る移動端末は、各々異なるアクセスネットワークに接続可能な複数のネットワーク接続手段と、アクセスネットワークを介して、ホームネットワークに接続される情報家電機器と通信する通信手段と、自移動端末が接続するアクセスネットワークを判別するアクセスネットワーク判別手段と、を備え、前記通信手段は、自移動端末が接続するアクセスネットワークが変更された場合に、変更後のアクセスネットワークに対応する所定の接続方法で、前記情報家電機器との間のセッションを確立する、ことを特徴とする。
【０００９】
本発明に係る移動端末においては、前記通信手段は、変更後のアクセスネットワークがモバイルネットワークである場合に、ホームネットワークとの間でＩＰトンネルを確立するモバイルネットワーク内のモバイルルータ経由で前記情報家電機器へ、セッションの確立を要求するメッセージを送信し、変更後のアクセスネットワークがホームネットワークである場合に、前記情報家電機器へ直接、セッションの確立を要求するメッセージを送信し、変更後のアクセスネットワークが公衆網である場合に、公衆網内のＳＩＰサーバ経由で、前記情報家電機器との間のセッションを確立する、ことを特徴とする。
【００１０】
本発明に係るセッション制御方法は、複数のアクセスネットワークに接続可能な移動端末におけるセッション制御方法であって、前記移動端末が、アクセスネットワークを介して、ホームネットワークに接続される情報家電機器と通信するステップと、前記移動端末が、自己が接続するアクセスネットワークを判別するステップと、前記移動端末が、自己が接続するアクセスネットワークが変更された場合に、変更後のアクセスネットワークに対応する所定の接続方法で、前記情報家電機器との間のセッションを確立するステップと、を含むことを特徴とする。
【００１１】
本発明に係るセッション制御方法においては、前記移動端末は、変更後のアクセスネットワークがモバイルネットワークである場合に、ホームネットワークとの間でＩＰトンネルを確立するモバイルネットワーク内のモバイルルータ経由で前記情報家電機器へ、セッションの確立を要求するメッセージを送信し、変更後のアクセスネットワークがホームネットワークである場合に、前記情報家電機器へ直接、セッションの確立を要求するメッセージを送信し、変更後のアクセスネットワークが公衆網である場合に、公衆網内のＳＩＰサーバ経由で、前記情報家電機器との間のセッションを確立する、ことを特徴とする。
【発明の効果】
【００１２】
本発明によれば、移動端末がホームネットワーク内の情報家電機器と通信中にアクセスネットワークを変更したときに、通信の円滑な継続を図ることができるという効果が得られる。
【図面の簡単な説明】
【００１３】
【図１】本発明の一実施形態に係る通信ネットワークシステムの全体構成を示す概念図である。
【図２】同実施形態に係るアクセスネットワーク判別方法の手順を示すフローチャートである。
【図３】同実施形態に係る広域間接接続の手順を示すシーケンスチャートである。
【図４】同実施形態に係る広域直接接続の手順を示すシーケンスチャートである。
【図５】同実施形態に係る狭域直接接続の手順を示すシーケンスチャートである。
【図６】同実施形態に係る広域間接接続と広域直接接続の切替えの手順を示すシーケンスチャートである。
【図７】同実施形態に係る広域直接接続と狭域直接接続の切替えの手順を示すシーケンスチャートである。
【図８】同実施形態に係る狭域直接接続と広域間接接続の切替えの手順を示すシーケンスチャートである。
【発明を実施するための形態】
【００１４】
以下、図面を参照し、本発明の実施形態について説明する。
図１は、本発明の一実施形態に係る通信ネットワークシステムの全体構成を示す概念図である。
図１において、移動端末（ＭＮＮ：モバイルネットワークノード）は、携帯電話網（公衆網）の基地局に接続可能な通信インタフェース（ネットワーク接続手段）と、自動車の車内に構築されたモバイルネットワーク（ＭＮＷ）内の無線基地局（ＷＬＡＮ  ＡＰ：無線ＬＡＮアクセスポイント）に接続可能な通信インタフェース（ネットワーク接続手段）と、ホームネットワーク（ＨＮＷ）内の無線基地局（ＷＬＡＮ  ＡＰ）に接続可能な通信インタフェース（ネットワーク接続手段）とを有する。移動端末（ＭＮＮ）は、アクセスネットワークとして、携帯電話網、モバイルネットワーク（ＭＮＷ）及びホームネットワーク（ＨＮＷ）を利用することができる。
【００１５】
モバイルネットワーク（ＭＮＷ）は、モバイルネットワーク（ＭＮＷ）内のデフォルトゲートウェイであるモバイルルータ（ＭＲ）を有する。モバイルルータ（ＭＲ）は、「ＲＦＣ（Request For Comment）３９６３」で規定されるＮＥＭＯ（Network Mobility）に準拠した移動ルータである。
【００１６】
ホームネットワーク（ＨＮＷ）はＤＬＮＡに準拠している。ホームネットワーク（ＨＮＷ）は、ホームネットワーク（ＨＮＷ）内のデフォルトゲートウェイであるホームゲートウェイ（ＨＧＷ）を有する。ホームゲートウェイ（ＨＧＷ）はホームエージェント（ＨＡ）を兼ねる。ホームネットワーク（ＨＮＷ）には、ＤＬＮＡに準拠した情報家電機器が接続される。情報家電機器としては、メディアコンテンツを移動端末（ＭＮＮ）へ送信することができるハードディスクレコーダやネットワークストレージデバイスなどのデジタルメディアサーバ（ＤＭＳ：Digital Media Server）と、移動端末（ＭＮＮ）からメディアコンテンツを受信して再生することができるディスプレイなどのデジタルメディアプレイヤ（ＤＭＰ：Digital Media Player）とがある。
【００１７】
移動端末（ＭＮＮ）は、アクセスネットワークを介してホームネットワーク（ＨＮＷ）に接続される情報家電機器（ＤＭＳ、ＤＭＰ）と通信する通信手段を有する。移動端末（ＭＮＮ）は、デジタルメディアサーバ（ＤＭＳ）からメディアコンテンツを受信したり、デジタルメディアプレイヤ（ＤＭＰ）へメディアコンテンツを送信したりすることができる。
【００１８】
さらに、移動端末（ＭＮＮ）は、自己が接続するアクセスネットワークを判別するアクセスネットワーク判別手段を有する。図２は、本実施形態に係る移動端末（ＭＮＮ）がアクセスネットワークを判別する手順を示すフローチャートである。図２において、移動端末（ＭＮＮ）は、アクセスネットワークへの接続を検出すると、図２の処理を開始する。
【００１９】
まずステップＳ１では、メディアコンテンツの送受信に使用する通信インタフェースがモバイルネットワーク（ＭＮＷ）又はホームネットワーク（ＨＮＷ）に直接接続できるかどうかを判定する。例えば、移動端末（ＭＮＮ）が携帯電話網に接続可能な通信インタフェースを有効にしてＰＰＰ接続した場合、ホームネットワーク（ＨＮＷ）に直接接続することは困難である。したがって、携帯電話網に接続可能な通信インタフェースを使用する場合（ステップＳ１、ＮＯ）、アクセスネットワークは車外（外出先）の携帯電話網（公衆網）であると判定する（ステップＳ２）。
【００２０】
一方、移動端末（ＭＮＮ）が無線ＬＡＮインタフェースならびに仮想インタフェースを使用する場合（ステップＳ１、ＹＥＳ）、アクセスネットワークとして、公衆網、モバイルネットワーク（ＭＮＷ）及びホームネットワーク（ＨＮＷ）に接続可能である。この場合、移動端末（ＭＮＮ）は、いずれのアクセスネットワークへも接続可能であるため、その種類を判定する必要がある。このため、ステップＳ３では、モバイルルータ（ＭＲ）がモバイルネットワーク（ＭＮＷ）内へ送信するＢＩＤメッセージを受信しているかどうかを確認する。ＢＩＤメッセージは、モバイルルータ（ＭＲ）が接続中の通信インタフェースの識別子を含むメッセージである。
【００２１】
ＢＩＤメッセージを受信している場合（ステップＳ３、ＹＥＳ）には、アクセスネットワークはモバイルネットワーク（ＭＮＷ）であると判定する（ステップＳ４）。
【００２２】
一方、ＢＩＤメッセージを受信していない場合（ステップＳ３、ＮＯ）には、ＵＰｎＰのデバイス発見メッセージ（Ｍ＿ＳＥＡＲＣＨ）を送信することによって、アクセスネットワークがホームネットワーク（ＨＮＷ）であるか否かを判定する（ステップＳ５）。ＵＰｎＰは、ＤＬＮＡに準拠した情報家電機器（ＤＭＳ、ＤＭＰ）が使用する、周辺の情報家電機器（ＤＭＳ、ＤＭＰ）を検索するためのプロトコルである。
【００２３】
ホームネットワーク（ＨＮＷ）から応答を受信した場合（ステップＳ５、ＹＥＳ）、アクセスネットワークはホームネットワーク（ＨＮＷ）であると判定する（ステップＳ６）。一方、ホームネットワーク（ＨＮＷ）からの応答が一定時間経過しても受信できない場合には（ステップＳ５、ＮＯ）、アクセスネットワークは車外（外出先）の携帯電話網（公衆網）であると判定する（ステップＳ２）。
【００２４】
移動端末（ＭＮＮ）は、アクセスネットワークの判別結果に基づいて、情報家電機器（ＤＭＳ、ＤＭＰ）との接続方法を決定する。アクセスネットワークが車外（外出先）の携帯電話網（公衆網）であると判定した場合、公衆網内のＳＩＰ（Session Initiation Protocol）サーバ（図１には図示せず）を利用する「広域間接接続」を用いることとする（ステップＳ７）。アクセスネットワークが車内のモバイルネットワーク（ＭＮＷ）であると判定した場合、モバイルルータ（ＭＲ）を介した「広域直接接続」を用いることとする（ステップＳ８）。アクセスネットワークがホームネットワーク（ＨＮＷ）であると判定した場合、「狭域直接接続」を用いることとする（ステップＳ９）。
【００２５】
次に、「広域間接接続」、「広域直接接続」、「狭域直接接続」の各手順を順次説明する。
移動端末（ＭＮＮ）は、「広域間接接続」、「広域直接接続」又は「狭域直接接続」のいずれか決定された接続方法により、情報家電機器（ＤＭＳ、ＤＭＰ）との間でＨＴＴＰ（HyperText Transfer Protocol）セッションを確立する。
【００２６】
［広域間接接続の手順］
図３は、本実施形態に係る広域間接接続の手順を示すシーケンスチャートである。図３において、移動端末（ＭＮＮ）は、アクセスネットワークが車外（外出先）の携帯電話網（公衆網）であると判定すると、ＳＩＰサーバへ自端末の情報（ＳＩＰ  ＵＲＩ、ＩＰアドレス）を登録する（ステップＳＡ１，ＳＡ２）。なお、ホームゲートウェイ（ＨＧＷ）は、ＳＩＰサーバへホームゲートウェイ（ＨＧＷ）の情報（ＳＩＰ  ＵＲＩ、ＩＰアドレス）を既に登録している。
【００２７】
次いで、移動端末（ＭＮＮ）は、ホームゲートウェイ（ＨＧＷ）とＨＴＴＰセッションを確立するために、ＩＮＶＩＴＥメッセージをＳＩＰサーバへ送信する（ステップＳＡ３）。ＩＮＶＩＴＥメッセージは、ホームゲートウェイ（ＨＧＷ）の「ＳＩＰ  ＵＲＩ」を含む。ＳＩＰサーバは、移動端末（ＭＮＮ）からのＩＮＶＩＴＥメッセージを受信すると、ホームゲートウェイ（ＨＧＷ）の「ＳＩＰ  ＵＲＩ」を確認し、ＩＮＶＩＴＥメッセージをホームゲートウェイ（ＨＧＷ）へ転送する。
【００２８】
次いで、ホームゲートウェイ（ＨＧＷ）は、ＩＮＶＩＴＥメッセージを受信し、移動端末（ＭＮＮ）への接続を許可すると、２００ＯＫメッセージを移動端末（ＭＮＮ）へ返信する（ステップＳＡ４）。移動端末（ＭＮＮ）は、ホームゲートウェイ（ＨＧＷ）から２００ＯＫメッセージを受信したことをホームゲートウェイ（ＨＧＷ）へ通知する（ステップＳＡ５）。
【００２９】
次いで、移動端末（ＭＮＮ）は、ホームゲートウェイ（ＨＧＷ）とのＨＴＴＰセッションの確立後、ＵＰｎＰメッセージ（デバイス発見・広告メッセージ、デバイス・サービス詳細要求メッセージ、コンテンツリスト取得メッセージ）をＨＴＴＰメッセージのボディー部に格納し、ホームゲートウェイ（ＨＧＷ）へ送信する（ステップＳＡ６）。ホームゲートウェイ（ＨＧＷ）は、そのＨＴＴＰメッセージのボディー部からＵＰｎＰメッセージを取り出し、情報家電機器（ＤＭＳ、ＤＭＰ）へ転送する（ステップＳＡ７）。ＵＰｎＰメッセージに対する応答は、情報家電機器（ＤＭＳ、ＤＭＰ）からホームゲートウェイ（ＨＧＷ）経由で移動端末（ＭＮＮ）へ返送される（ステップＳＡ８，ＳＡ９）。
【００３０】
次いで、利用者がコンテンツリストの中から視聴するメディアコンテンツを指定すると、移動端末（ＭＮＮ）は、「ＨＴＴＰ  ＧＥＴメッセージ」をホームゲートウェイ（ＨＧＷ）経由でデジタルメディアサーバ（ＤＭＳ）へ送信し、デジタルメディアサーバ（ＤＭＳ）から送信されるメディアコンテンツの受信を開始する（ステップＳＡ１０，ＳＡ１１）。また、移動端末（ＭＮＮ）は、デジタルメディアプレイヤ（ＤＭＰ）からメディアコンテンツの送信要求を受信すると、デジタルメディアプレイヤ（ＤＭＰ）に対して自端末内のメディアコンテンツを送信する（ステップＳＡ１０’，ＳＡ１１’）。
【００３１】
［広域直接接続の手順］
図４は、本実施形態に係る広域直接接続の手順を示すシーケンスチャートである。図４において、モバイルルータ（ＭＲ）は、ホームエージェント（ＨＡ）を兼ねるホームゲートウェイ（ＨＧＷ）に対して位置登録要求メッセージ（ＢＵ）を送信し、ホームゲートウェイ（ＨＧＷ）との間でＩＰトンネルを確立する（ステップＳＢ１，ＳＢ２）。位置登録要求メッセージ（ＢＵ）は、モバイルルータ（ＭＲ）の気付けアドレス（ＣｏＡ）とモバイルネットワーク（ＭＮＷ）のネットワークアドレスを含む。なお、モバイルネットワーク（ＭＮＷ）のネットワークアドレスは、ホームネットワーク（ＨＮＷ）のネットワークアドレスの一部を割当てたアドレスとなる。例えば、ホームネットワーク（ＨＮＷ）のネットワークアドレスとして「192.168.0.0/24」を割当て、モバイルネットワーク（ＭＮＷ）にはその一部のネットワークアドレスである「192.168.0.2/28」を割当てる。
【００３２】
移動端末（ＭＮＮ）は，アクセスネットワークがモバイルネットワーク（ＭＮＷ）であると判定すると、ＵＰｎＰメッセージ（デバイス発見・広告メッセージ、デバイス・サービス詳細要求メッセージ、コンテンツリスト取得メッセージ）をモバイルルータ（ＭＲ）経由で情報家電機器（ＤＭＳ、ＤＭＰ）へ送信し、該応答をモバイルルータ（ＭＲ）経由で受信する（ステップＳＢ３，ＳＢ４）。
【００３３】
次いで、利用者がコンテンツリストの中から視聴するメディアコンテンツを指定すると、移動端末（ＭＮＮ）は、「ＨＴＴＰ  ＧＥＴメッセージ」をモバイルルータ（ＭＲ）経由でデジタルメディアサーバ（ＤＭＳ）へ送信し、デジタルメディアサーバ（ＤＭＳ）から送信されるメディアコンテンツの受信を開始する（ステップＳＢ５，ＳＢ６）。また、移動端末（ＭＮＮ）は、デジタルメディアプレイヤ（ＤＭＰ）からメディアコンテンツの送信要求を受信すると、デジタルメディアプレイヤ（ＤＭＰ）に対して自端末内のメディアコンテンツを送信する（ステップＳＢ５’，ＳＢ６’）。
【００３４】
［狭域直接接続の手順］
図５は、本実施形態に係る狭域直接接続の手順を示すシーケンスチャートである。図５において、移動端末（ＭＮＮ）は、アクセスネットワークがホームネットワーク（ＨＮＷ）であると判定すると、情報家電機器（ＤＭＳ、ＤＭＰ）へ直接、ＵＰｎＰメッセージを送信し（ステップＳＣ１）、その応答を情報家電機器（ＤＭＳ、ＤＭＰ）から直接、受信する（ステップＳＣ２）。
【００３５】
次いで、利用者がコンテンツリストの中から視聴するメディアコンテンツを指定すると、移動端末（ＭＮＮ）は、「ＨＴＴＰ  ＧＥＴメッセージ」を直接、デジタルメディアサーバ（ＤＭＳ）へ送信し、デジタルメディアサーバ（ＤＭＳ）から送信されるメディアコンテンツの受信を開始する（ステップＳＣ３，ＳＣ４）。また、移動端末（ＭＮＮ）は、デジタルメディアプレイヤ（ＤＭＰ）からメディアコンテンツの送信要求を直接、受信すると、デジタルメディアプレイヤ（ＤＭＰ）に対して自端末内のメディアコンテンツを送信する（ステップＳＣ３’，ＳＣ４’）。
【００３６】
次に、移動端末（ＭＮＮ）が接続するアクセスネットワークを変更する場合に、情報家電機器（ＤＭＳ、ＤＭＰ）との間の接続方法を切り替える手順を、順次説明する。
移動端末（ＭＮＮ）は、アクセスネットワークの変更を検出し、情報家電機器（ＤＭＳ、ＤＭＰ）との間のセッションを再確立する。
【００３７】
［広域間接接続と広域直接接続の切替えの手順］
図６は、本実施形態に係る広域間接接続と広域直接接続の切替えの手順を示すシーケンスチャートである。図６では、移動端末（ＭＮＮ）が、アクセスネットワークを携帯電話網（公衆網）からモバイルネットワーク（ＭＮＷ）へ変更し、またモバイルネットワーク（ＭＮＷ）から携帯電話網（公衆網）へ変更する場合を示している。
【００３８】
移動端末（ＭＮＮ）は、携帯電話網（公衆網）を介して情報家電機器（ＤＭＳ、ＤＭＰ）との間でメディアコンテンツを送受信中に、アクセスネットワークの変更を検出し、変更後のアクセスネットワークがモバイルネットワーク（ＭＮＷ）であると判定すると、情報家電機器（ＤＭＳ、ＤＭＰ）との接続方法を広域間接接続から広域直接接続へ切替える。
【００３９】
次いで、移動端末（ＭＮＮ）は、モバイルルータ（ＭＲ）経由でメディアコンテンツの再生継続を要求する再生継続メッセージを送信し、情報家電機器（ＤＭＳ、ＤＭＰ）との間のセッションを再確立する。具体的には、移動端末（ＭＮＮ）は、メディアコンテンツをキャッシュし、再生情報（バイト数または時間）に基づき、「ＨＴＴＰ  ＧＥＴメッセージ」によるメディアコンテンツの途中再生を要求する再生継続メッセージをモバイルルータ（ＭＲ）経由で送信し（ステップＳＤ１）、２００ＯＫメッセージを受信する（ステップＳＤ２）。これにより、モバイルネットワーク（ＭＮＷ）経由で、移動端末（ＭＮＮ）と情報家電機器（ＤＭＳ、ＤＭＰ）との間のメディアコンテンツの送受信が継続される。
【００４０】
なお、移動端末（ＭＮＮ）は、バイト数をキャッシュしておく場合、ＨＴＴＰのＲａｎｇｅヘッダを用いて指定する。一方、再生済みの時間をキャッシュしておく場合、移動端末（ＭＮＮ）は、ＲＦＣ２３２６で定義されているＲＴＳＰのｎｐｔ（normal play time）により再生時間を指定して、中断したメディアコンテンツの再生を再開する。
【００４１】
移動端末（ＭＮＮ）は、モバイルネットワーク（ＭＮＷ）を介して情報家電機器（ＤＭＳ、ＤＭＰ）との間でメディアコンテンツを送受信中に、アクセスネットワークの変更を検出し、変更後のアクセスネットワークが携帯電話網（公衆網）であると判定すると、情報家電機器（ＤＭＳ、ＤＭＰ）との接続方法を広域直接接続から広域間接接続へ切替える。
【００４２】
移動端末（ＭＮＮ）は、アクセスネットワークから取得したＩＰアドレスをＳＩＰサーバに対して更新する（ステップＳＤ３，ＳＤ４）。次いで、移動端末（ＭＮＮ）は、ＳＩＰサーバ経由でホームゲートウェイ（ＨＧＷ）とＨＴＴＰセッションを確立する（ステップＳＤ５，ＳＤ６，ＳＤ７）。次いで、移動端末（ＭＮＮ）は、再生継続メッセージを情報家電機器（ＤＭＳ、ＤＭＰ）と送受信し、情報家電機器（ＤＭＳ、ＤＭＰ）との間のセッションを再確立する（ステップＳＤ８，ＳＤ９）。これにより、携帯電話網（公衆網）経由で、移動端末（ＭＮＮ）と情報家電機器（ＤＭＳ、ＤＭＰ）との間のメディアコンテンツの送受信が継続される。
【００４３】
［広域直接接続と狭域直接接続の切替えの手順］
図７は、本実施形態に係る広域直接接続と狭域直接接続の切替えの手順を示すシーケンスチャートである。図７では、移動端末（ＭＮＮ）が、アクセスネットワークをモバイルネットワーク（ＭＮＷ）からホームネットワーク（ＨＮＷ）へ変更し、またホームネットワーク（ＨＮＷ）からモバイルネットワーク（ＭＮＷ）へ変更する場合を示している。
【００４４】
移動端末（ＭＮＮ）は、モバイルネットワーク（ＭＮＷ）を介して情報家電機器（ＤＭＳ、ＤＭＰ）との間でメディアコンテンツを送受信中に、アクセスネットワークの変更を検出し、変更後のアクセスネットワークがホームネットワーク（ＨＮＷ）であると判定すると、情報家電機器（ＤＭＳ、ＤＭＰ）との接続方法を広域直接接続から狭域直接接続へ切替える。
【００４５】
次いで、移動端末（ＭＮＮ）は、メディアコンテンツの再生継続を要求する再生継続メッセージを情報家電機器（ＤＭＳ、ＤＭＰ）へ直接、送信し（ステップＳＥ１）、その応答を受信する（ステップＳＥ２）。これにより、移動端末（ＭＮＮ）は、情報家電機器（ＤＭＳ、ＤＭＰ）との間のセッションを再確立し、情報家電機器（ＤＭＳ、ＤＭＰ）との間のメディアコンテンツの送受信を継続することができる。
【００４６】
移動端末（ＭＮＮ）は、ホームネットワーク（ＨＮＷ）を介して情報家電機器（ＤＭＳ、ＤＭＰ）との間でメディアコンテンツを送受信中に、アクセスネットワークの変更を検出し、変更後のアクセスネットワークがモバイルネットワーク（ＭＮＷ）であると判定すると、情報家電機器（ＤＭＳ、ＤＭＰ）との接続方法を狭域直接接続から広域直接接続へ切替える。
【００４７】
次いで、移動端末（ＭＮＮ）は、モバイルルータ（ＭＲ）経由でメディアコンテンツの再生継続を要求する再生継続メッセージを送信し（ステップＳＥ３）、その応答を受信する（ステップＳＥ４）。これにより、移動端末（ＭＮＮ）は、モバイルネットワーク（ＭＮＷ）経由で、情報家電機器（ＤＭＳ、ＤＭＰ）との間のセッションを再確立し、情報家電機器（ＤＭＳ、ＤＭＰ）との間のメディアコンテンツの送受信を継続することができる。
【００４８】
［狭域直接接続と広域間接接続の切替えの手順］
図８は、本実施形態に係る狭域直接接続と広域間接接続の切替えの手順を示すシーケンスチャートである。図８では、移動端末（ＭＮＮ）が、アクセスネットワークをホームネットワーク（ＨＮＷ）から携帯電話網（公衆網）へ変更し、また携帯電話網（公衆網）からホームネットワーク（ＨＮＷ）へ変更する場合を示している。
【００４９】
移動端末（ＭＮＮ）は、ホームネットワーク（ＨＮＷ）を介して情報家電機器（ＤＭＳ、ＤＭＰ）との間でメディアコンテンツを送受信中に、アクセスネットワークの変更を検出し、変更後のアクセスネットワークが携帯電話網（公衆網）であると判定すると、情報家電機器（ＤＭＳ、ＤＭＰ）との接続方法を狭域直接接続から広域間接接続へ切替える。
【００５０】
移動端末（ＭＮＮ）は、アクセスネットワークから取得したＩＰアドレスをＳＩＰサーバに対して更新する（ステップＳＦ１，ＳＦ２）。次いで、移動端末（ＭＮＮ）は、ＳＩＰサーバ経由でホームゲートウェイ（ＨＧＷ）とＨＴＴＰセッションを確立する（ステップＳＦ３，ＳＦ４，ＳＦ５）。次いで、移動端末（ＭＮＮ）は、再生継続メッセージを情報家電機器（ＤＭＳ、ＤＭＰ）と送受信し、情報家電機器（ＤＭＳ、ＤＭＰ）との間のセッションを再確立する（ステップＳＦ６，ＳＦ７）。これにより、携帯電話網（公衆網）経由で、移動端末（ＭＮＮ）と情報家電機器（ＤＭＳ、ＤＭＰ）との間のメディアコンテンツの送受信が継続される。
【００５１】
移動端末（ＭＮＮ）は、携帯電話網（公衆網）を介して情報家電機器（ＤＭＳ、ＤＭＰ）との間でメディアコンテンツを送受信中に、アクセスネットワークの変更を検出し、変更後のアクセスネットワークがホームネットワーク（ＨＮＷ）であると判定すると、情報家電機器（ＤＭＳ、ＤＭＰ）との接続方法を広域間接接続から狭域直接接続へ切替える。
【００５２】
次いで、移動端末（ＭＮＮ）は、メディアコンテンツの再生継続を要求する再生継続メッセージを情報家電機器（ＤＭＳ、ＤＭＰ）へ直接、送信し（ステップＳＦ８）、その応答を受信する（ステップＳＦ９）。これにより、移動端末（ＭＮＮ）は、情報家電機器（ＤＭＳ、ＤＭＰ）との間のセッションを再確立し、情報家電機器（ＤＭＳ、ＤＭＰ）との間のメディアコンテンツの送受信を継続することができる。
【００５３】
上述したように本実施形態によれば、移動端末（ＭＮＮ）がアクセスネットワークを判別し、その判別結果に応じた接続方法で情報家電機器（ＤＭＳ、ＤＭＰ）との間のセッションを確立する。そして、移動端末（ＭＮＮ）は、アクセスネットワークが変更された場合、変更後のアクセスネットワークに対応する所定の接続方法で、情報家電機器（ＤＭＳ、ＤＭＰ）との間のセッションを再確立する。これにより、移動端末（ＭＮＮ）は、情報家電機器（ＤＭＳ、ＤＭＰ）との間でメディアコンテンツの送受信を円滑に継続することができる。この結果、利用者に対してアクセスネットワークの変更を意識させることなく、音楽や動画などのメディアコンテンツをシームレスに送受信することが可能となる。
【００５４】
また、本実施形態によれば、変更後のアクセスネットワークに対応する所定の接続方法で、情報家電機器（ＤＭＳ、ＤＭＰ）との間のセッションを再確立することから、効率がよく、接続のためのメッセージ量、所要時間を抑制することができる。この点について以下に具体的に説明する。
【００５５】
従来のＳＩＰに対応した移動端末は、モバイルネットワークに接続すると、モバイルルータがホームゲートウェイとＩＰトンネルを確立しているにもかかわらず、ＳＩＰサーバを利用してＨＴＴＰセッションを確立する。したがって、移動端末が情報家電機器とＨＴＴＰセッションを確立するときの所要時間が長くなり、この結果、利用者にメディアコンテンツを提供するまでの待ち時間が長くなる。
【００５６】
また、移動端末がホームネットワークに接続した場合にも同様に、情報家電機器と直接、ＨＴＴＰセッションを確立可能であるにもかかわらず、ＳＩＰサーバを利用してＨＴＴＰセッションを確立するために、情報家電機器とＨＴＴＰセッションを確立するときの所要時間が長くなる。
【００５７】
本実施形態によれば、移動端末（ＭＮＮ）は、モバイルネットワーク（ＭＮＷ）と接続した場合、モバイルルータ（ＭＲ）経由でＩＰトンネルを利用してホームネットワーク（ＨＮＷ）に接続し、情報家電機器とＨＴＴＰセッションを確立する。これにより、移動端末（ＭＮＮ）と情報家電機器の間でＨＴＴＰセッションを確立するときの所要時間を短縮することができる。さらに、ＳＩＰのメッセージ量に比してメッセージ量を削減することができる。また、移動端末（ＭＮＮ）は、ホームネットワーク（ＨＮＷ）と接続した場合、ホームネットワーク（ＨＮＷ）を介して直接、情報家電機器とＨＴＴＰセッションを確立する。これにより、移動端末（ＭＮＮ）と情報家電機器の間でＨＴＴＰセッションを確立するときの所要時間を短縮することができる。さらに、ＳＩＰのメッセージ量に比してメッセージ量を削減することができる。
【００５８】
本実施形態によれば、利用者は、移動端末（ＭＮＮ）を用いて、自宅に構築したホームネットワーク（ＨＮＷ）に接続される情報家電機器を遠隔制御したり、情報家電機器の動作状態を監視したりする場合に、移動端末（ＭＮＮ）が接続するアクセスネットワークを意識することなく、また、アクセスネットワークが変更されてもそれを意識することなく、円滑に、情報家電機器の遠隔制御や動作状態の監視を行うことができる。例えば、利用者が、情報家電機器により動画、音楽、写真などのメディアコンテンツを利用する場合、自宅内（ホームネットワーク（ＨＮＷ））、自家用車内（モバイルネットワーク（ＭＮＷ））、公共の場所（公衆網）などに移動しながら、円滑にメディアコンテンツを楽しむことができる。
【００５９】
以上、本発明の実施形態について図面を参照して詳述してきたが、具体的な構成はこの実施形態に限られるものではなく、本発明の要旨を逸脱しない範囲の設計変更等も含まれる。
【符号の説明】
【００６０】
ＭＮＮ…移動端末、ＭＮＷ…モバイルネットワーク、ＭＲ…モバイルルータ、ＨＮＷ…ホームネットワーク、ＨＧＷ…ホームゲートウェイ、ＤＭＳ…デジタルメディアサーバ、ＤＭＰ…デジタルメディアプレイヤ
【図１】
2010187210.tif 000003
【図２】
2010187210.tif 000004
【図３】
2010187210.tif 000005
【図４】
2010187210.tif 000006
【図５】
2010187210.tif 000007
【図６】
2010187210.tif 000008
【図７】
2010187210.tif 000009
【図８】
2010187210.tif 000010